【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
輝度信号に対する適応オフセット処理である輝度適応オフセット処理を行う輝度適応オフセット処理部と、
前記輝度適応オフセット処理部による前記輝度適応オフセット処理の結果に基づいて、色差信号に対する適応オフセット処理である色差適応オフセット処理を行う色差適応オフセット処理部と
を備える画像処理装置。
【請求項２】
前記色差適応オフセット処理部は、前記輝度適応オフセット処理部により用いられるQuad-tree構造に基づいて、前記色差信号に対する前記色差適応オフセット処理を行う
請求項１に記載の画像処理装置。
【請求項３】
前記色差適応オフセット処理部は、前記Quad-tree構造に基づき、バンドオフセット、エッジオフセット、およびオフの３種類を用いて、前記色差信号に対する前記色差適応オフセット処理を行う
請求項２に記載の画像処理装置。
【請求項４】
バンドオフセットを用いる場合、前記色差適応オフセット処理部は、前記色差信号に対しては、前記輝度適応オフセット処理部による前記輝度信号に対するバンド数よりも少ないバンド数を用いる
請求項１または請求項２に記載の画像処理装置。
【請求項５】
バンドオフセットを用いる場合、前記色差適応オフセット処理部は、前記色差信号に対しては、前記輝度適応オフセット処理部による前記輝度信号に対して決められた一方のグループではない他方のグループを用いる
請求項１または請求項２に記載の画像処理装置。
【請求項６】
エッジオフセットを用いる場合、前記色差適応オフセット処理部は、前記輝度適応オフセット処理部による前記輝度信号に対して決められたカテゴリに対応して、前記色差信号のカテゴリを決定する
請求項１乃至請求項５のいずれかに記載の画像処理装置。
【請求項７】
前記色差適応オフセット処理部は、前記輝度適応オフセット処理部により用いられる輝度オフセット値を用いて、前記色差信号に対する前記色差適応オフセット処理を行う
請求項１または請求項２に記載の画像処理装置。
【請求項８】
前記輝度適応オフセット処理部は、
前記輝度信号の画素値を用いて、前記Quad-tree構造を決定するQuad-tree決定部と、
前記Quad-tree決定部により決定された前記Quad-tree構造に分割された領域に対して、輝度オフセット値を算出する輝度オフセット算出部と、
前記輝度オフセット算出部により算出された前記輝度オフセット値を用いて、前記輝度信号の画素値に対してオフセット処理を行う輝度オフセット処理部と
を備え、
前記色差適応オフセット処理部は、
前記Quad-tree決定部により決定された前記Quad-tree構造に分割された領域に対して、色差オフセット値を算出する色差オフセット算出部と、
前記色差オフセット算出部により算出された前記色差オフセット値を用いて、前記色差信号の画素値に対してオフセット処理を行う色差オフセット処理部と
を備える請求項１乃至請求項７のいずれかに記載の画像処理装置。
【請求項９】
前記色差オフセット値を量子化する量子化部
をさらに備える請求項８に記載の画像処理装置。
【請求項１０】
前記輝度オフセット算出部により算出された前記輝度オフセット値、および前記色差オフセット算出部により算出された前記色差オフセット値から求められる色差予測残差と、前記輝度オフセット値を符号化する符号化部
をさらに備える請求項８または請求項９に記載の画像処理装置。
【請求項１１】
前記色差適応オフセット処理部は、
前記色差オフセット算出部により算出された色差オフセット値ＯＣと、前記輝度オフセット算出部により算出された輝度オフセット値ＯＬとを用いて、相関係数αおよびβを算出する相関係数算出部と、
前記相関係数算出部により算出された前記相関係数αおよびβを用いて、前記色差予測残差を算出する予測残差算出部と
さらに備える請求項１０に記載の画像処理装置。
【請求項１２】
前記予測残差算出部は、
ＯＣ  −  （α＊ＯＬ＋β）のように、前記色差予測残差を算出する
請求項１１に記載の画像処理装置。
【請求項１３】
前記予測残差算出部は、前記色差オフセット値ＯＣが、ＯＬ０とＯＬ１に対応するとすると、
ＯＣ  −  （α＊（ＯＬ０＋ＯＬ１＋１）／２＋β）のように、前記色差予測残差を算出する
請求項１１に記載の画像処理装置。
【請求項１４】
前記相関係数算出部は、ＣｂとＣｒについて別々に前記相関係数αおよびβを算出する
請求項１１乃至請求項１３のいずれかに記載の画像処理装置。
【請求項１５】
前記相関係数算出部は、２種類のバンドオフセットおよび６種類のエッジオフセットについて別々に前記相関係数αおよびβを算出する
請求項１１乃至請求項１４のいずれかに記載の画像処理装置。
【請求項１６】
前記符号化部は、前記相関係数αおよびβを符号化し、スライスヘッダに付加する
請求項１１乃至請求項１５のいずれかに記載の画像処理装置。
【請求項１７】
前記符号化部は、前記相関係数αおよびβを符号化し、LCU（Largest Coding Unit）ヘッダに付加する
請求項１乃至請求項１５のいずれかに記載の画像処理装置。
【請求項１８】
前記Quad-tree構造、輝度オフセットの情報、および前記色差オフセットの情報を復号する復号部をさらに備え、
前記輝度適応オフセット処理部は、前記Quad-tree構造に基づき、前記輝度オフセットの情報を用いて、前記輝度信号の画素値に対して前記輝度オフセット処理を行い、
前記色差適応オフセット処理部は、前記Quad-tree構造に基づき、前記色差オフセットの情報を用いて、前記色差信号の画素値に対して前記色差オフセット処理を行う
請求項２に記載の画像処理装置。
【請求項１９】
前記色差オフセットの情報は、量子化されている
請求項１８に記載の画像処理装置。
【請求項２０】
前記色差オフセットの情報は、相関係数αおよびβ、輝度オフセット値ＯＣ、並びに色差オフセット値ＯＬから算出される色差予測残差であり、
前記色差適応オフセット処理部は、
前記色差予測残差、前記輝度オフセットの情報が示す前記輝度オフセット値ＯＣ、相関係数αおよびβを用いて、前記色差オフセット値ＯＬを再構築する再構築部と、
前記Quad-tree構造に基づき、前記再構築部により再構築された前記色差オフセットを用いて、前記色差信号の画素値に対してオフセット処理を行う色差オフセット処理部と
を備える請求項１８または請求項１９に記載の画像処理装置。
【請求項２１】
前記色差予測残差は、ＯＣ  −  （α＊ＯＬ＋β）で表される
請求項２０に記載の画像処理装置。
【請求項２２】
前記色差予測残差は、前記色差オフセット値ＯＣが、ＯＬ０とＯＬ１に対応するとすると、
ＯＣ  −  （α＊（ＯＬ０＋ＯＬ１＋１）／２＋β）で表される
請求項２０に記載の画像処理装置。
【請求項２３】
前記復号部は、前記相関係数αおよびβを復号し、取得する
請求項２０乃至請求項２２のいずれかに記載の画像処理装置。
【請求項２４】
前記相関係数αおよびβは、ＣｂとＣｒについて別々に取得される
請求項２３に記載の画像処理装置。
【請求項２５】
前記相関係数αおよびβは、２種類のバンドオフセットおよび６種類のエッジオフセットについて別々に取得される
請求項２３または請求項２４に記載の画像処理装置。
【請求項２６】
前記相関係数αおよびβは、スライスヘッダから取得される
請求項２３乃至請求項２５のいずれかに記載の画像処理装置。
【請求項２７】
前記相関係数αおよびβは、LCU（Largest Coding Unit）から取得される
請求項２３乃至請求項２５のいずれかに記載の画像処理装置。
【請求項２８】
画像処理装置が、
輝度信号に対する適応オフセット処理である輝度適応オフセット処理を行い、
前記輝度適応オフセット処理の結果に基づいて、色差信号に対する適応オフセット処理である色差適応オフセット処理を行う
画像処理方法。
【請求項２９】
画像処理装置を、
輝度信号に対する適応オフセット処理である輝度適応オフセット処理を行輝度適応オフセット処理部と、
前記輝度適応オフセット処理部による前記輝度適応オフセット処理の結果に基づいて、色差信号に対する適応オフセット処理である色差適応オフセット処理を行う色差適応オフセット処理部と
して、機能させるプログラム。
【手続補正２】
【補正対象書類名】明細書
【補正対象項目名】発明の名称
【補正方法】変更
【補正の内容】
【発明の名称】画像処理装置および方法、並びにプログラム
【手続補正３】
【補正対象書類名】明細書
【補正対象項目名】０００１
【補正方法】変更
【補正の内容】
【０００１】
本開示は画像処理装置および方法、並びにプログラムに関し、特に、色差信号に対する符号化効率を向上することができるようにした画像処理装置および方法、並びにプログラムに関する。